(57)【要約】【課題】指圧機能付き枕としての使用感を向上させることはもちろんのこと、通常の枕としても使用が可能な指圧機能付き枕を提供する。【解決手段】枕用芯材１０と、枕用芯材１０の底面１４に配設され、ベース部２２とベース部２２から起立する指圧体２４を有するエアバッグ２０と、エアバッグ２０に給排気する給排気体３０と、を具備し、枕用芯材１０には底面１４から上面１２に向けた指圧体進入部１６が形成されており、指圧体進入部１６には指圧体２４が進入していると共に、給排気体３０により指圧体２４に給気された状態において、指圧体２４の上端部が枕用芯材１０の厚さ範囲に収まっていることを特徴とする指圧機能付き枕１００である。【選択図】図３
0003233223.tif 000002
【実用新案登録請求の範囲】
【請求項１】
枕用芯材と、
前記枕用芯材の底面に配設され、ベース部と前記ベース部から起立する指圧体とを有するエアバッグと、
前記エアバッグに給排気する給排気体と、を具備し、
前記枕用芯材には底面から上面に向けた指圧体進入部が形成されており、
前記指圧体進入部には前記指圧体が進入していると共に、前記給排気体により前記指圧体に給気された状態において、前記指圧体の上端部が前記枕用芯材の厚さ範囲に収まっていることを特徴とする指圧機能付き枕。
【請求項２】
前記枕用芯材の底面には前記ベース部を収容する凹部が形成されていることを特徴とする請求項１記載の指圧機能付き枕。
【請求項３】
前記指圧体進入部は前記枕用芯材の底面から上面に貫通する貫通孔により形成されていることを特徴とする請求項１または２記載の指圧機能付き枕。
【請求項４】
前記枕用芯材を収容する枕カバーをさらに有し、
前記枕カバーにおいて前記指圧体の上端部と対向する部分の生地が他の部分よりも厚く形成されていることを特徴とする請求項１〜３のうちのいずれか一項に記載の指圧機能付き枕。
【請求項５】
前記給排気体はハンドポンプであることを特徴とする請求項１〜４のうちのいずれか一項に記載の指圧機能付き枕。
【請求項６】
前記給排気体のオンオフ動作の切り替え制御を行う動作制御部をさらに有していることを特徴とする請求項１〜４のうちのいずれか一項に記載の指圧機能付き枕。
【考案の詳細な説明】
【技術分野】
【０００１】
本考案は指圧機能付き枕に関する。
【背景技術】
【０００２】
仰向けに寝た状態で手軽に首回りや後頭部のツボを指圧することを可能にした枕が従来知られている。このような指圧機能付き枕としては、例えば特許文献１（特開２００２−９５７１５号公報）に開示されているような構成が提案されている。
【先行技術文献】
【特許文献】
【０００３】
【特許文献１】特開２００２−９５７１５号公報
【考案の概要】
【考案が解決しようとする課題】
【０００４】
特許文献１に開示されている指圧機能付き枕は、枕用芯材である緩衝部材の上面に凹部が形成されており、この凹部内に指圧体と指圧体を凹部内で昇降させるエアバッグを収容し、枕本体とは別体のエア供給ユニットを接続したものである。このため、枕本体に形成された凹部はある程度の大きさを有する開口面を有することになり、通常の枕としての使用した場合、頭部や指圧対象部分が凹部に必要以上に沈み込んでしまうといった課題を有している。
【課題を解決するための手段】
【０００５】
そこで本考案は、指圧機能付き枕としての使用感を向上させることはもちろんのこと、通常の枕としても使用が可能な指圧機能付き枕の提供を目的としている。
【０００６】
上記課題を解決するために本考案者は鋭意研究を行った結果、以下の構成に想到した。すなわち、枕用芯材と、前記枕用芯材の底面に配設され、ベース部と前記ベース部から起立する指圧体とを有するエアバッグと、前記エアバッグに給排気する給排気体と、を具備し、前記枕用芯材には底面から上面に向けた指圧体進入部が形成されており、前記指圧体進入部には前記指圧体が進入していると共に、前記給排気体により前記指圧体に給気された状態において、前記指圧体の上端部が前記枕用芯材の厚さ範囲に収まっていることを特徴とする指圧機能付き枕である。
【０００７】
これにより、指圧機能を発揮した状態での使用および通常状態での使用のいずれの場合においても使い心地を良好にすることができる。
【０００８】
また、前記枕用芯材の底面には前記ベース部を収容する凹部が形成されていることが好ましい。
【０００９】
これにより、エアバッグのベース部を枕用芯材に位置決めすることができるため、エアバッグへの給排気を繰り返し行っても、エアバッグ（指圧体）を所定位置に位置決めしておくことができる。
【００１０】
また、前記指圧体進入部は前記枕用芯材の底面から上面に貫通する貫通孔により形成されていることが好ましい。
【００１１】
これにより、指圧体による指圧状態をいわゆる強押し状態にすることができる。
【００１２】
また、前記枕用芯材を収容する枕カバーをさらに有し、前記枕カバーにおいて前記指圧体の上端部と対向する部分の生地が他の部分よりも厚く形成されていることが好ましい。
【００１３】
これにより、指圧体による指圧力を緩和させることができ、長期にわたってきれいな状態で使用することができると共に、指圧体が配設されている平面位置を明確にすることができる。
【００１４】
また、前記給排気体はハンドポンプであることが好ましい。
【００１５】
これにより、エアバッグに供給する空気量を微調整し、自分好みの指圧体の膨張状態にすることができる。
【００１６】
また、前記給排気体のオンオフ動作の切り替え制御を行う動作制御部をさらに有していることが好ましい。
【００１７】
これにより就寝時や起床時において指圧体による指圧を行うことでリラックス効果やリフレッシュ効果を高めることができる。
【考案の効果】
【００１８】
本考案にかかる構成を採用することにより、指圧機能を発揮した状態での使用および通常状態での使用のいずれの場合においても使い心地を良好にすることができる。
【図面の簡単な説明】
【００１９】
【図１】第１実施形態における指圧機能付き枕の使用状態における平面図である。
【図２】第１実施形態における指圧機能付き枕の使用状態における右側面図である。
【図３】図１中のＩＩＩ―ＩＩＩ線における枕部分の断面図である。
【図４】動作制御部の概略構成を示すブロック図である。
【図５】第２実施形態における指圧機能付き枕の使用状態における平面図である。
【考案を実施するための形態】
【００２０】
以下、本考案における指圧機能付き枕の実施形態について図面に基づいて具体的に説明する。
【００２１】
（第１実施形態）
本実施形態における指圧機能付き枕１００は、図１〜図３に示すように、枕用芯材１０、枕用芯材１０の底面に配設されたエアバッグ２０、給排気体３０および給排気体３０の動作を制御する動作制御部４０を具備している。
【００２２】
本実施形態における枕用芯材１０は軟質発泡ウレタン等に代表されるいわゆる低反発ウレタンによって側面視略凸形状に形成されている。枕用芯材１０の上面１２は、使用者の背中から首の根本部分にかけて当接する緩傾斜面部１２Ａ、使用者の首の根元部分から延髄部分にかけて当接する突出部１２Ｂおよび使用者の後頭部に当接する平坦肉厚部１２Ｃにより形成されている。枕用芯材１０の底面１４において緩傾斜面部１２Ａに対向する部分には凹部１４Ａが形成されている。また凹部１４Ａの内底面には、凹部１４Ａの内底面から緩傾斜面部１２Ａ（枕用芯材１０の上面１２）に向けて延びる複数の凹穴からなる指圧体進入部１６が形成されている。
【００２３】
また、本実施形態における枕用芯材１０の外表面には、枕カバー１８が着脱可能に装着されている。枕カバー１８の緩傾斜面部１２Ａに対向する部分は、他の部分における生地厚さよりも厚い肉厚部１８Ａに形成されている。このような枕カバー１８を採用することで、指圧体２４が埋設されている部分を外部から認識しやすくなり、適切な位置に頭部を載置することができる。また、指圧体進入部１６を枕用芯材１０の底面１４から上面１２に貫通する貫通孔で形成した場合においては、使用者に指圧体２４が当接する際における緩衝材としても機能し、かつ、枕カバー１８の耐摩耗性を高めることができる点で好都合である。
【００２４】
本実施形態におけるエアバッグ２０は、枕用芯材１０の底面１４に形成された凹部１４Ａに配設されるベース部２２と、ベース部２２から起立し、それぞれの指圧体進入部１６に進入する指圧体２４を有している。本実施形態におけるエアバッグ２０は、給排気体３０によってエアバッグ２０の内部に空気を供給した状態（指圧機能発揮状態）においても、ベース部２２が凹部１４Ａからはみ出さないようにベース部２２の膨張量が最小限に抑えられている。また、図３に示すように本実施形態における指圧体２４は有底筒状体に形成されており、上端部（有底部）が半球状をなしている。また、指圧体２４はベース部２２と同様に、エアバッグ２０に空気が供給された際において、指圧体２４の伸長を最小限に抑え、指圧体２４が硬化するように形成されている。
【００２５】
また、本実施形態におけるエアバッグは、空気が供給されていない（空気を排出した）状態であっても、指圧体２４がベース部２２に対して自立しており、指圧体２４が指圧体進入部１６に進入している状態が維持されている。これによりエアバッグ２０（指圧体２４）に空気が供給されていない状態（指圧機能非発揮状態；通常使用時）においては、使用者は指圧体２４の存在が気にならない状態で通常の枕として使用することができる。また、エアバッグ２０に空気を供給して指圧機能発揮状態にした際には指圧体２４を硬化させることができ、使用者は自重により指圧効果を得ることができる。
【００２６】
また、ベース部２２の側面または上面には給排気用ホース２６の第１端部が連結されており、給排気用ホース２６の第２端部が枕用芯材１０の内部に配設された給排気体３０に連結されている。本実施形態における給排気体３０はエアポンプが用いられており、エアポンプのオンオフ動作は、動作制御部４０により切り替え制御されている。図４に示すように本実施形態における動作制御部４０は、動作制御プログラムＰＧＭが記憶された記憶部４２、動作制御プログラムＰＧＭに沿って各種の処理を実行する演算部４４、動作制御プログラムＰＧＭの起動トリガとなるタイマ４６および操作部４８を有している。記憶部４２、演算部４４、タイマ４６および操作部４８には公知の構成を採用することができるため、ここでの詳細な説明は省略する。
【００２７】
使用者が操作部４８に設けられた指圧機能を作動させるボタン（図示はせず）を押下すると、演算部４４が動作制御プログラムＰＧＭに基づいて給排気体３０を作動させ、エアバッグ２０に空気が供給される。演算部４４は給排気体３０の作動出力と作動継続時間を調整することで、エアバッグ２０に供給する空気の量を調整し、指圧体２４の硬化状態を調節している。本実施形態においては、給排気体３０の作動出力と作動継続時間とエア供給量の関係は予め実験等によって算出されたデータが記憶部４２に記憶されている形態を採用しているが、エアバッグ２０に圧力センサや流量センサ（図示はせず）を配設し、センサの計測結果に基づいて演算部４４が給排気体３０の作動出力および作動継続時間を調整する形態とすることもできる。
【００２８】
このようにして給排気体３０によってエアバッグ２０に空気が供給されると、枕用芯材１０の指圧体進入部１６内で指圧体２４が膨張する。本実施形態においては、指圧体２４の硬化時（膨張時）における上端部高さ位置が枕用芯材１０の上面１２から所要距離離間した位置となるように設定されているため、指圧体２４が使用者の首や肩甲骨周りを直接当接した状態で刺激することはない。しかしながら使用者の自重により枕用芯材１０が沈み込み、枕用芯材１０の内部で適度に硬化させた指圧体２４によって使用者の首や肩甲骨周りを押圧させた状態にすることができ、心地よい刺激を得ることができる。また、動作制御部４０は、タイマ４６によって給排気体３０の動作を制御し、動作制御プログラムＰＧＭに基づいてエアバッグ２０に充填されているエアの排出動作とエアバッグ２０へのエアの供給動作を繰り返し実行することもできる。
【００２９】
また、動作制御部４０はタイマ４６によって、就寝時刻や起床時刻に合わせて給排気体３０のオンオフ動作を制御し、就寝時作動モードや起床時作動モードを適宜実行させることもできる。就寝時作動モードは、使用者にリラックス効果を提供するために、給排気体３０のオンオフ動作の切り替え時間が起床時作動モードにおける給排気体３０のオンオフ動作の切り替え時間よりも長く、かつ、エアバッグ２０へのエア供給量が起床時作動モードにおけるエアバッグ２０へのエア供給量よりも少なく（指圧体２４の硬化度を起床時作動モードよりも低く）設定されている。このようにすることで、使用者を就寝時にリラックスした状態にすることができる。これに対して起床時においては、就寝時作動モードとは逆の設定を実行させることで使用者にリフレッシュ効果を提供し、さわやかな目覚めを提供できる。
【００３０】
（第２実施形態）
本実施形態における指圧機能付き枕１００は、図５に示すように給排気体３０がハンドポンプであって、動作制御部４０の配設を省略した簡易な形態である点で第１実施形態と異なっている。第１実施形態と共通する構成については、第１実施形態で用いた符号を付すことによりここでの詳細な説明は省略している。
【００３１】
本実施形態のように給排気体３０としてハンドポンプを採用することで、指圧機能付き枕１００の製造コストを大幅に低減させることができる。また、使用者がハンドポンプを操作することで、指圧体２４の硬化度合いを自分好みとなるようにエアバッグ２０への空気供給量を微調整することができる点で好都合である。本実施形態におけるハンドポンプにはリリースバルブ３２が装着されており、エアバッグ２０に充填した空気を適宜排出させることもできる。
【００３２】
以上に、本考案にかかる指圧機能付き枕１００について実施形態に基づいて詳細に説明をしたが、本考案の技術的範囲は、以上の実施形態に限定されるものではない。すなわち、考案の要旨を変更しない範囲における適宜変更を施した構成は、本考案の技術的範囲に属する。例えば、第１実施形態においては、給排気体３０が枕用芯材１０の内部に配設されている形態について説明しているが、給排気体３０は枕用芯材１０の外部に収容した形態を採用することもできる。
【００３３】
また、第１実施形態および第２実施形態においては、いずれも枕用芯材１０の底面１４にエアバッグ２０のベース部２２を収容する凹部１４Ａが形成されているが、凹部１４Ａの配設を省略することもできる。この場合、指圧体進入部１６は枕用芯材１０の底面１４に形成されることになる。また、エアバッグ２０のベース部２２が枕用芯材１０の底面１４から突出した状態になるが、ベース部２２に空気が供給されれば、枕用芯材１０の底面１４が弾性変形してベース部２２を底面１４に沈み込ませることができる。
【００３４】
また、以上の実施形態においては、指圧体進入部１６は枕用芯材１０の底面１４からの凹穴により形成した形態について説明しているが、指圧体進入部１６は枕用芯材１０の底面１４から上面１２に貫通する貫通孔によって形成することもできる。これにより、いわゆる強もみ（強押し）状態にすることができる。この場合、枕カバー１８の生地厚さは全体を同じ厚さに形成したものを用いることが好ましい。そして、以上の実施形態においては枕カバー１８を有しているが、枕カバー１８の配設を省略した形態を採用することもできる。
【００３５】
また、以上の実施形態においては、指圧体２４の上端部が半球状に形成された形態について説明しているが、指圧体２４の上端部の形状はこの形態に限定されるものではない。使用者との当接部分となる指圧体２４の上端部は、円錐体の他、ベース部２２からの起立部分との接続部分（境界部分）が湾曲面で接続された平坦面にした形態を採用することもできる。
【００３６】
さらに以上の実施形態において説明した変形例を適宜組み合わせた形態を採用することもできる。
【符号の説明】
【００３７】
１０  枕用芯材
１２  上面
１２Ａ  緩傾斜面部
１２Ｂ  突出部
１２Ｃ  肉厚平坦部
１４  底面
１４Ａ  凹部
１６  指圧体進入部
１８  枕カバー
２０  エアバッグ
２２  ベース部
２４  指圧体
２６  給排気用ホース
３０  給排気体
４０  動作制御部
４２  記憶部
４４  演算部
４６  タイマ
４８  操作部
１００  指圧機能付き枕
【図１】
0003233223.tif 000003
【図２】
0003233223.tif 000004
【図３】
0003233223.tif 000005
【図４】
0003233223.tif 000006
【図５】
0003233223.tif 000007